【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
入力された複数の検索条件に合致する、文書データの文字列を表示する情報処理装置において、
前記文書データに対する、前記複数の検索条件の検索指示を受付ける検索指示受付手段と、
前記検索指示受付手段で受付けた検索指示における前記複数の検索条件に合致する文字列の位置情報を取得する取得手段と、
前記複数の検索条件から一つの検索条件を指定するための検索条件指定画面を表示する検索条件指定画面表示手段と、
前記検索条件指定画面表示手段で表示された検索条件指定画面を介して指定された前記一つの検索条件に合致した文字列を、前記位置情報に従って表示領域の先頭位置近傍に表示させるように文書データを表示制御する表示制御手段とを備えることを特徴とする情報処理装置。
【請求項２】
前記表示制御手段は、
前記指定された一つの検索条件に合致した文字列に、スクロール制御に必要なスクロール情報を付加し、当該スクロール情報に基づいて該文字列を前記表示領域の先頭位置近傍に表示されるように制御することを特徴とする請求項１記載の情報処理装置。
【請求項３】
前記表示制御手段は、
前記位置情報に従って、前記複数の検索条件に合致する文字列のうち、前記指定された一つの検索条件に合致した、前記文書データの先頭に近い位置の文字列から順次、前記表示領域の先頭位置近傍に表示されるように制御することを特徴とする請求項１又は２に記載の情報処理装置。
【請求項４】
前記表示制御手段は、
前記指定された一つの検索条件に合致した文字列を他の文字と識別可能に表示されるように制御することを特徴とする請求項１乃至３のいずれか１項に記載の情報処理装置。
【請求項５】
前記指定された一つの検索条件に合致した文字列に、識別可能に表示されるための識別表示情報を付加し、前記識別表示情報に従って該文字列を他の文字と識別可能に表示されるように制御することを特徴とする請求項１乃至４のいずれか１項に記載の情報処理装置。
【請求項６】
前記検索指示手段で検索指示を行う前記複数の検索条件に近傍検索条件がある場合、前記取得手段は、当該近傍検索条件で指定される文字列間の文字数内に、複数の文字列から成る文字列の組が複数存在する場合は、それら複数の文字列の組のうち、最も近接している文字列の組の位置情報を取得することを特徴とする請求項１乃至５のいずれか１項に記載の情報処理装置。
【請求項７】
前記先頭位置近傍とは、表示領域の先頭行、又は先頭行からオフセットされた行であることを特徴とする請求項１乃至６のいずれか１項に記載の情報処理装置。
【請求項８】
入力された複数の検索条件に合致する、文書データの文字列を表示する情報処理装置における情報処理方法であって、
前記情報処理装置の検索指示受付手段が、前記文書データに対する、前記複数の検索条件の検索指示を受付ける検索指示受付工程と、
前記情報処理装置の取得手段が、前記検索指示受付工程で受付けた検索指示における前記複数の検索条件に合致する文字列の位置情報を取得する取得工程と、
前記情報処理装置の検索条件指定画面表示手段が、前記複数の検索条件から一つの検索条件を指定するための検索条件指定画面を表示する検索条件指定画面表示工程と、
前記情報処理装置の表示制御手段が、前記検索条件指定画面表示工程で表示された検索条件指定画面を介して指定された前記一つの検索条件に合致した文字列を、前記位置情報に従って表示領域の先頭位置近傍に表示させるように文書データを表示制御する表示制御工程とを備えることを特徴とする情報処理方法。
【請求項９】
コンピュータを、
文書データに対する、複数の検索条件の検索指示を受付ける検索指示受付手段と、
前記検索指示受付手段で受付けた検索指示における前記複数の検索条件に合致する文字列の位置情報を取得する取得手段と、
前記複数の検索条件から一つの検索条件を指定するための検索条件指定画面を表示する検索条件指定画面表示手段と、
前記検索条件指定画面表示手段で表示された検索条件指定画面を介して指定された前記一つの検索条件に合致した文字列を、前記位置情報に従って表示領域の先頭位置近傍に表示させるように文書データを表示制御する表示制御手段として機能させるためのプログラム。
【請求項１０】
コンピュータを、
文書データに対する、複数の検索条件の検索指示を受付ける検索指示受付手段と、
前記検索指示受付手段で受付けた検索指示における前記複数の検索条件に合致する文字列の位置情報を取得する取得手段と、
前記複数の検索条件から一つの検索条件を指定するための検索条件指定画面を表示する検索条件指定画面表示手段と、
前記検索条件指定画面表示手段で表示された検索条件指定画面を介して指定された前記一つの検索条件に合致した文字列を、前記位置情報に従って表示領域の先頭位置近傍に表示させるように文書データを表示制御する表示制御手段として機能させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】情報処理装置、情報処理方法、プログラム及びコンピュータ読み取り可能な記録媒体
【手続補正３】
【補正対象書類名】明細書
【補正対象項目名】０００１
【補正方法】変更
【補正の内容】
【０００１】
本発明は、文書ファイルの検索を行うために用いて好適なものである。
【手続補正４】
【補正対象書類名】明細書
【補正対象項目名】０００８
【補正方法】変更
【補正の内容】
【０００８】
本発明の情報処理装置は、入力された複数の検索条件に合致する、文書データの文字列を表示する情報処理装置において、前記文書データに対する、前記複数の検索条件の検索指示を受付ける検索指示受付手段と、前記検索指示受付手段で受付けた検索指示における前記複数の検索条件に合致する文字列の位置情報を取得する取得手段と、前記複数の検索条件から一つの検索条件を指定するための検索条件指定画面を表示する検索条件指定画面表示手段と、前記検索条件指定画面表示手段で表示された検索条件指定画面を介して指定された前記一つの検索条件に合致した文字列を、前記位置情報に従って表示領域の先頭位置近傍に表示させるように文書データを表示制御する表示制御手段とを備えることを特徴とする。
本発明の情報処理方法は、入力された複数の検索条件に合致する、文書データの文字列を表示する情報処理装置における情報処理方法であって、前記情報処理装置の検索指示受付手段が、前記文書データに対する、前記複数の検索条件の検索指示を受付ける検索指示受付工程と、前記情報処理装置の取得手段が、前記検索指示受付工程で受付けた検索指示における前記複数の検索条件に合致する文字列の位置情報を取得する取得工程と、前記情報処理装置の検索条件指定画面表示手段が、前記複数の検索条件から一つの検索条件を指定するための検索条件指定画面を表示する検索条件指定画面表示工程と、前記情報処理装置の表示制御手段が、前記検索条件指定画面表示工程で表示された検索条件指定画面を介して指定された前記一つの検索条件に合致した文字列を、前記位置情報に従って表示領域の先頭位置近傍に表示させるように文書データを表示制御する表示制御工程とを備えることを特徴とする。
本発明のプログラムは、コンピュータを、文書データに対する、複数の検索条件の検索指示を受付ける検索指示受付手段と、前記検索指示受付手段で受付けた検索指示における前記複数の検索条件に合致する文字列の位置情報を取得する取得手段と、前記複数の検索条件から一つの検索条件を指定するための検索条件指定画面を表示する検索条件指定画面表示手段と、前記検索条件指定画面表示手段で表示された検索条件指定画面を介して指定された前記一つの検索条件に合致した文字列を、前記位置情報に従って表示領域の先頭位置近傍に表示させるように文書データを表示制御する表示制御手段として機能させることを特徴とする。
本発明のコンピュータ読み取り可能な記録媒体は、コンピュータを、文書データに対する、複数の検索条件の検索指示を受付ける検索指示受付手段と、前記検索指示受付手段で受付けた検索指示における前記複数の検索条件に合致する文字列の位置情報を取得する取得手段と、前記複数の検索条件から一つの検索条件を指定するための検索条件指定画面を表示する検索条件指定画面表示手段と、前記検索条件指定画面表示手段で表示された検索条件指定画面を介して指定された前記一つの検索条件に合致した文字列を、前記位置情報に従って表示領域の先頭位置近傍に表示させるように文書データを表示制御する表示制御手段として機能させるためのプログラムを記録したことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明によれば、異なる複数の検索対象文字列が検索結果に含まれている場合でも、検索対象文字列の確認を容易に行うことが可能となる。